(57)【要約】【課題】大型トラック用フロントバンパーの改造による中型トラック用フロントバンパーの提供。【解決手段】両端が内側に弯曲した長尺で、かつ両側に照明燈用枠孔３を開口した既成の大型トラック用フロントバンパー１の中央部分を切除する切除工程と、前記切除工程で得られた左右一対のバンパー半片１Ａの裏面に添設される補強材を、ステー取付部９を残して剥取する補強材剥取工程と、対応する中型トラック用フロントバンパーＶの取付ステー１１を、前記ステー取付部９に設置する取付ステー取付工程と、前記一対のバンパー半片１Ａを溶接接合して短尺な中型トラック用フロントバンパー素材Ｖａを形成する接合工程と、前記中型トラック用バンパー素材Ｖａの表面を化粧仕上げする化粧仕上げ工程と、より成ることを特徴とする大型トラック用フロントバンパーの中型トラック用フロントバンパーへの改造方法。【選択図】図１
2010254013.tif 000002
【特許請求の範囲】
【請求項１】
左右の照明燈が同一形状を備えた、大，中異なる大きさの同一車種の前記照明燈の照明燈用枠孔を穿ったトラック用フロントバンパーに係り、
両端が内側に弯曲した長尺で、かつ両側に照明燈用枠孔を開口した既成の大型トラック用フロントバンパーの中央部分を切除する切除工程と、
前記切除工程で得られた左右一対のバンパー半片の裏面に添設される補強材を、ステー取付部を残して剥取する補強材剥取工程と、
対応する中型トラック用フロントバンパーの取付ステーを、前記ステー取付部に設置する取付ステー取付工程と、
前記一対のバンパー半片を溶接接合して短尺な中型トラック用フロントバンパー素材を形成する接合工程と、
前記中型トラック用バンパー素材の表面を化粧仕上げする化粧仕上げ工程と、
より成ることを特徴とする大型トラック用フロントバンパーの中型トラック用フロントバンパーへの改造方法。
【請求項２】
請求項１記載の改造方法で得られることを特徴とする中型トラック用フロントバンパー。
【発明の詳細な説明】
【技術分野】
【０００１】
本発明は、積載量４トン程度の中型トラック用フロントバンパーを、積載量９．２トンから１６トンの大型トラック並みに変形改造できる大型トラック用フロントバンパーの中型トラック用フロントバンパーへの改造方法およびそのフロントバンパーに関する。
【背景技術】
【０００２】
中型トラックのフロントバンパーは、大型トラックに比べると積載量の大きさに関係して、横幅，縦幅において全体的に小さく形成されている。
【０００３】
要するに、見劣りするために中型トラックの運転者は、フロントバンパーの表面に種々の装飾加工を付設したり、取外し自在にして他のものと取替えたりして、所謂トラック野郎と呼ばれる独自性を発揮して、自己満足感に浸っている（例えば、特許文献１，２参照。）。
【先行技術文献】
【特許文献】
【０００４】
【特許文献１】特開２００１−７１８４０号公報
【特許文献２】特開２００４−１０６７００号公報
【発明の概要】
【発明が解決しようとする課題】
【０００５】
上記いずれかの特許文献も、中型トラック用フロントバンパーに関する限り、運転者の自己満足を満たすことはできず、自らが特注で大型に準ずるバンパーを作って取替交換しなければならないという問題があった。
【０００６】
他方、最近の自動車メーカーでは、各種部品の共通化，共用化の傾向が強まり、大型，中型，小型などのサイズを異にしたシリーズ物の車種に関しては、例えば同一サイズ，同一形状のランプを共通化してコストの軽減を図っているのが現状である。
【０００７】
本発明は叙上の点に着目してなされたもので、大型トラック用フロントバンパーを簡単に改造して中型トラック用フロントバンパーを得ることを目的とするものである。
【課題を解決するための手段】
【０００８】
本発明は、以下の構成により上記課題を解決できる。
【０００９】
（１）左右の照明燈が同一形状を備えた、大，中異なる大きさの同一車種の前記照明燈の照明燈用枠孔を穿ったトラック用フロントバンパーに係り、
両端が内側に弯曲した長尺で、かつ両側に照明燈用枠孔を開口した既成の大型トラック用フロントバンパーの中央部分を切除する切除工程と、
前記切除工程で得られた左右一対のバンパー半片の裏面に添設される補強材を、ステー取付部を残して剥取する補強材剥取工程と、
対応する中型トラック用フロントバンパーの取付ステーを、前記ステー取付部に設置する取付ステー取付工程と、
前記一対のバンパー半片を溶接接合して短尺な中型トラック用フロントバンパー素材を形成する接合工程と、
前記中型トラック用バンパー素材の表面を化粧仕上げする化粧仕上げ工程と、
より成ることを特徴とする大型トラック用フロントバンパーの中型トラック用フロントバンパーへの改造方法。
【００１０】
（２）前記（１）記載の改造方法で得られることを特徴とする中型トラック用フロントバンパー。
【発明の効果】
【００１１】
本発明によれば、中型トラック用フロントバンパーが破損したり損傷した場合は勿論のこと、ドライバーの意志により大型トラック用フロントバンパーに酷似したバンパーと取替えたい場合には、バンパーの両側に設けられる照明燈枠孔が同一の大型トラック用フロントバンパーの中央部分を切除する工程、左右一対のバンパー半片の裏面に添設される補強材をステー取付部を残した補強材剥取工程と、ステー取付部に中型トラックの前面に取付けできる取付ステーを取付設置することにより、中型化された改造のバンパーが大型と略同じ大きさに形成でき、左右一対のバンパー半片を溶接一体に形成でき、さらに表面を研磨などの機械的処理による化粧仕上げにより、全く新しい、しかも縦幅の大きな中型トラック用フロントバンパーを形状でき、全体として中型トラックでも大型トラック並の強度を持たせたフロントバンパーとして機能させることができる。
【００１２】
そして、運転者は自信と趣味感を満足させて、中型トラックを大型トラック並みに使用して満足を与えることができる。
【図面の簡単な説明】
【００１３】
【図１】大型トラック用フロントバンパーの一例を示す稍々上方から見た正面図で、切断片を得るための切断線を示している。
【図２】図１の稍々上方から見た背面図で、切断片を得るための切断線を示している。
【図３】（ａ），（ｂ）はステー取付部を除いて裏側部材を剥取する前と後の大型トラック用フロントバンパーの片側を拡大して示す背面図
【図４】取付ステーの取付状態を示す要部の斜視図
【図５】中型トラック用フロントバンパー素材の接合工程を示す稍々上方から見た背面図
【図６】改造された中型トラック用フロントバンパーの稍々上方から見た正面図
【図７】大型トラック用フロントバンパーを装着した大型トラックの斜視図
【図８】同一車種の中型トラック用フロントバンパーを装着した中型トラックの斜視図
【図９】図８の中型トラック用フロントバンパーに代えて大型トラック用フロントバンパーを改造したフロントバンパーを装着した中型トラックの斜視図
【発明を実施するための形態】
【００１４】
以下に本発明の一実施例を説明する。
【実施例】
【００１５】
１は、改造する前の大型トラックＴ１の大型トラック用フロントバンパーを示し、縦幅ｈ，横幅ｗで両端が内側に弯曲αした長方形を備え、自動車メーカーの純正品または他メーカーの類似品に相当する。１ａは表側部材，１ｂは裏側部材を示す。そして、表側部材１ａはスチール製の、裏側部材１ｂは補強用の金属製の部材であって、多数の小突起部２が散設して全体に補強効果を持たせている。
【００１６】
３は、左右に穿たれた照明燈用枠孔、４は上部中央に設けた３組の長方形孔、５は前記長方形孔４の直下に設けられる２個の長方形孔、６は前記照明燈用枠孔３の下側に開孔した長孔、７は左右の照明燈用枠孔３の上部に沿って形成したＡＢＳ樹脂の化粧帯を夫々示す。
【００１７】
以下に、作業工程を示す。
【００１８】
図１および図２の中央Ｏ−Ｏ線より左右ａ位置の切断線８で切断する。この左右ａ位置で切断された中央の切断片Ｘは除去する。横幅ｗ全体から２ａの長さに相当した切断片Ｘが切断されるので、新たな横幅ｗ１として得られる。この横幅ｗ１は同一機種の中型トラックＴ２のフロントバンパーの大きさと同一である。
【００１９】
以上が切除工程である（図１，２参照）。
【００２０】
次に、分割されたそれぞれの左右一対のバンパー半片１Ａの裏面のステー取付部９を除いて、点線箇所１０に沿って補強材に相当する裏側部材１ｂの大部分を剥取する。即ち補強板剥取工程である（図３参照）。
【００２１】
この補強板剥取工程により大部分の金属製の補強材が取除かれるので、バンパー半片１Ａの重量を軽くできる。
【００２２】
次に、中型トラック用フロントバンパーＶを取付けるための取付ステー１１を、取付位置と一致整合できるように、別途製作した取付ステー１１によりステー取付部９に正確に位置を合わせて熔着固定する。具体的には、基板１０ａ上に３本のボルト１１ａ，１１ｂ，１１ｃを植設して自動車車体の取付孔に挿通して固定ナットにより固着できる。
【００２３】
以上がステー取付工程である（図４参照）。
【００２４】
そして、左右一対のバンパー半片１Ａ，１Ａの内端を接合して熱熔接により一体化して中型トラック用フロントバンパー素材Ｖａとして成形できる。なお、切断箇所の長方形孔４には支板１３を付設すると共に、他の長方形孔５は覆板１４で閉塞する。
【００２５】
以上が中型トラック用フロントバンパー素材の接合工程である。
【００２６】
最後は、表面の化粧仕上げ工程で主として接合箇所１２の不平滑性を研磨し、必要な鏡面施工を行うと共に、照明燈用枠孔３から長方形孔４に亘ってＡＢＳ樹脂１５の被着処理を行って、改造された中型トラック用フロントバンパーＶを得ることができる。
【００２７】
斯くして、改造された中型トラック用フロントバンパーＶは、横幅ｗ１が大型トラック用バンパー１と比較すると、切除した切断片Ｘの長さ分だけ縮小するが、縦幅ｈは大型トラック用バンパー１と同一であるので、一見して重量感を保持させることができる。
【００２８】
しかし乍ら、裏面の補強材は大部分切除してあるので軽量となるが、中型トラックとして十分な強度を確保できる。
【００２９】
また、中型トラック用フロントバンパーＶは、裏面に取付けた取付ステー１１を用いて車体に設けた取付部に係入させ、固定ナットを用いて簡単に取付できる。
【符号の説明】
【００３０】
１    大型トラック用フロントバンパー
１Ａ  バンパー半片
１ａ  表側部材
１ｂ  裏側部材
２    小突起部
３    照明燈用枠孔
４    上部中央に設けた３組の長方形孔
５    長方形孔４の直下に設けられる２個の長方形孔
６    ヘッドライト用孔３の下側に開孔した長孔
７    ＡＢＳ樹脂の化粧帯
８    切断線
９    ステー取付部
１０    点線箇所
１０ａ  基板
１１    取付ステー
１１ａ，１１ｂ，１１ｃ    ボルト
１２    接合箇所
１３    支板
１４    覆板
１５    ＡＢＳ樹脂
Ｘ    切断片
Ｔ１，Ｔ２    大型トラック
Ｖ    中型トラック用フロントバンパー
Ｖａ  中型トラック用フロントバンパー素材
ｈ    縦幅
ｗ，ｗ１    横幅
α    弯曲
【図１】
2010254013.tif 000003
【図２】
2010254013.tif 000004
【図３】
2010254013.tif 000005
【図４】
2010254013.tif 000006
【図５】
2010254013.tif 000007
【図６】
2010254013.tif 000008
【図７】
2010254013.tif 000009
【図８】
2010254013.tif 000010
【図９】
2010254013.tif 000011